(57)【要約】【課題】電動工具本体における不具合の発生可能性を低減させる。【解決手段】電池パック３は、電池３０を収容する。電池パック３は、電動工具本体８に取り付けられる。電池パック３は、出力制御部３２を有する。出力制御部３２は、条件に応じて電動工具本体８への電池３０の出力を制御する。【選択図】図１
2020089110.tif 000002
【特許請求の範囲】
【請求項１】
電池を収容し電動工具本体に取り付けられる電池パックを備え、
前記電池パックは、条件に応じて前記電動工具本体への前記電池の出力を制御する出力制御部を有する、
電池ユニット。
【請求項２】
前記条件は、前記電動工具本体に関する情報に基づく条件を含む、
請求項１に記載の電池ユニット。
【請求項３】
前記電池パックは、前記電動工具本体に関する前記情報を前記電動工具本体から取得する情報取得部を更に有する、
請求項２に記載の電池ユニット。
【請求項４】
前記出力制御部は、前記電動工具本体に関する前記情報に応じて、前記電池の前記出力の大きさの上限値と、前記電池の前記出力の大きさが前記上限値を超えた場合に前記電池の前記出力の大きさを低下させる制御を開始するタイミングと、の少なくとも一方を決定する、
請求項２又は３に記載の電池ユニット。
【請求項５】
前記出力制御部は、前記電動工具本体に関する前記情報に応じて、前記電池の前記出力としての出力電圧の大きさの前記上限値を決定する、
請求項４に記載の電池ユニット。
【請求項６】
前記出力制御部は、ＰＷＭ制御により、前記電池の前記出力電圧の大きさを前記上限値以下に制御する、
請求項５に記載の電池ユニット。
【請求項７】
前記電池パックは、前記電動工具本体が備えるモータに流れる電流の検出値を取得する電流値取得部を更に有し、
前記電動工具本体に関する前記情報は前記検出値を含む、
請求項２〜６のいずれか一項に記載の電池ユニット。
【請求項８】
前記条件は、前記電池の温度に関する条件を含む、
請求項１〜７のいずれか一項に記載の電池ユニット。
【請求項９】
前記出力制御部の制御に従って前記電池の前記出力の大きさを変更する変換回路を更に備え、
前記変換回路は、前記電池パックから分離可能である、
請求項１〜８のいずれか一項に記載の電池ユニット。
【請求項１０】
前記電池パックが接続され、前記電池としての二次電池を充電する充電器を更に備える、
請求項１〜９のいずれか一項に記載の電池ユニット。
【請求項１１】
請求項１〜１０のいずれか一項に記載の電池ユニットと、
前記電動工具本体と、を備える、
電動工具システム。
【発明の詳細な説明】
【技術分野】
【０００１】
本開示は電池ユニット及び電動工具システムに関し、より詳細には、電動工具本体に取り付けられる電池ユニット及びこの電池ユニットを備える電動工具システムに関する。
【背景技術】
【０００２】
従来、電動工具アダプタと共に用いられる電動工具システムが知られている（例えば、特許文献１）。特許文献１記載の電動工具システムは、電動工具アダプタを用いて電池パックを電動工具（電動工具本体）に装着可能である。電動工具アダプタは、ＤＣ−ＤＣ変換器を備えている。ＤＣ−ＤＣ変換器は、電動工具と電池パックとの間でそれらの各々に着脱自在に装着されるように構成され、当該電池パックの電圧を昇圧又は降圧して電動工具の駆動電圧に変換し、該駆動電圧を該電動工具に供給するように構成される。これにより、特許文献１記載の電動工具システムでは、電動工具の定格電圧とは異なる電圧の電池パックを使用した場合であっても、良好にその電動工具を駆動させることができる。
【先行技術文献】
【特許文献】
【０００３】
【特許文献１】国際公開第２０１２／０１７８３３号
【発明の概要】
【発明が解決しようとする課題】
【０００４】
特許文献１記載の電動工具システムでは、電動工具の定格電圧とは異なる電圧の電池パックを使用する場合は、電動工具アダプタが必須であった。しかしながら、電動工具の定格電圧によって、使用可能な電動工具アダプタが異なっており、使用可能でない電動工具アダプタを使用した場合は、電動工具の動作に不具合が発生することがあった。
【０００５】
本開示は、電動工具本体における不具合の発生可能性を低減させることができる電池ユニット及び電動工具システムを提供することを目的とする。
【課題を解決するための手段】
【０００６】
本開示の一態様に係る電池ユニットは、電池パックを備える。前記電池パックは、電池を収容する。前記電池パックは、電動工具本体に取り付けられる。前記電池パックは、出力制御部を有する。前記出力制御部は、条件に応じて前記電動工具本体への前記電池の出力を制御する。
【０００７】
本開示の一態様に係る電動工具システムは、前記電池ユニットと、前記電動工具本体と、を備える。
【発明の効果】
【０００８】
本開示の一態様に係る電池ユニット及び電動工具システムは、電動工具本体における不具合の発生可能性を低減させることができる。
【図面の簡単な説明】
【０００９】
【図１】図１は、実施形態１に係る電動工具システムのブロック図である。
【図２】図２は、同上の電動工具システムの分解正面図である。
【図３】図３は、実施形態２に係る電動工具システムのブロック図である。
【図４】図４は、同上の電動工具システムの分解正面図である。
【発明を実施するための形態】
【００１０】
以下、実施形態に係る電池ユニット及び電動工具システムについて、図面を用いて説明する。ただし、下記の各実施形態は、本開示の様々な実施形態の一部に過ぎない。下記の各実施形態は、本開示の目的を達成できれば、設計等に応じて種々の変更が可能である。また、下記の各実施形態において説明する各図は、模式的な図であり、図中の各構成要素の大きさ及び厚さそれぞれの比が必ずしも実際の寸法比を反映しているとは限らない。
【００１１】
（実施形態１）
本実施形態の電動工具システム１は、図１、２に示すように、電池ユニット２と、電動工具本体８と、を備えている。電池ユニット２は、電池パック３を備えている。電池ユニット２は、充電器５を更に備えている。
【００１２】
電池パック３は、複数（４つ、ただし図１では１つのみ図示）の電池３０を有している。電池パック３は、複数の電池３０を収容している。より詳細には、電池パック３は、箱状の電池パック本体３７を有しており、電池パック本体３７の内部に複数の電池３０を収容している。複数の電池３０は、二次電池である。複数の電池３０は、例えば、リチウムイオン電池である。電池パック３は、電動工具本体８に取り付けられる。より詳細には、電池パック３は、電動工具本体８に着脱可能である。複数の電池３０は、直列に接続される。
【００１３】
複数の電池３０は、電動工具本体８に電力を供給する。電動工具本体８は、モータ８１と、工具制御部８２と、インバータ８３と、検出部８４と、ボディ８５と、チャック８６と、を有している。ボディ８５には、チャック８６が取り付けられている。チャック８６には、ドリルビット８７又はドライバビット等のビットが取り付けられる。また、ボディ８５には、電池パック本体３７が着脱可能に取り付けられる。工具制御部８２は、例えば、プロセッサ及びメモリを有するマイクロコントローラにより構成されている。メモリに記憶されたプログラムをプロセッサが実行することによって、本開示における工具制御部８２としての機能が実現される。工具制御部８２は、モータ８１の動作を制御する。モータ８１は、複数の電池３０から出力される電力により動作し、ビットを回転させる。モータ８１は、例えば、ブラシレスモータである。
【００１４】
充電器５には、電池パック３が接続される。充電器５は、複数の電池３０（二次電池）を充電する。充電器５は、プラグとコードとを有し、プラグは、商用電源からの電力供給を受けるコンセントと接続可能である。充電器５は、商用電源からプラグとコードとを介して供給される電力により、複数の電池３０を充電する。
【００１５】
電池パック３は、記憶部３６を有している。記憶部３６は、例えば、ＲＯＭ（Read Only Memory）、ＲＡＭ（Random Access Memory）又はＥＥＰＲＯＭ（Electrically Erasable Programmable Read Only Memory）等である。記憶部３６は、品番が互いに異なる各種の電動工具本体８の品番の情報と、品番が互いに異なる各種の電動工具本体８に入力可能な電圧の範囲と、それらを対応付ける情報と、を記憶している。つまり、記憶部３６は、各種の電動工具本体８の品番の情報と、その品番を有する電動工具本体８に入力可能な電圧の範囲とを、対応付けて記憶している。なお、記憶部３６は、少なくとも１種類の電動工具本体８の品番と、その品番を有する電動工具本体８に入力可能な電圧の範囲とを記憶していればよいのであって、品番が互いに異なる複数の電動工具本体８の品番を記憶していることは必須ではない。
【００１６】
電池パック３は、電池パック３が取り付けられた電動工具本体８が有する品番の情報を電動工具本体８から取得して、その品番を記憶部３６に記憶された複数の品番と照合する。取得した品番と同じ品番が記憶部３６に記憶されていれば、電池パック３は、記憶部３６に記憶された情報に基づいて、その品番を有する電動工具本体８に入力可能な電圧の範囲を特定し、電圧がこの範囲内となるように複数の電池３０の出力を制御する。これにより、電池パック３及び複数の電池３０は、品番が互いに異なって入力可能な電圧の範囲が互いに異なる複数の電動工具本体８の各々に用いることができる。
【００１７】
電動工具本体８の品番の情報と、この電動工具本体８に入力可能な電圧の範囲を示す情報とを記憶部３６へ入力することで、電動工具本体８に入力可能な電圧の範囲を、任意の範囲に設定できる。電動工具本体８に入力可能な電圧の範囲は、例えば、モータ８１及びインバータ８３の仕様に応じて設定される。記憶部３６へ入力される情報は、例えば、物理サーバ又はクラウドサーバから電気通信回線を通じて提供される。あるいは、記憶部３６へ入力される情報は、メモリカード等の非一時的記録媒体に記録されて提供される。
【００１８】
電池パック３は、変換回路３１を有している。変換回路３１は、ＤＣ−ＤＣコンバータである。変換回路３１は、複数の電池３０からの出力電圧としての直流電圧を、電動工具本体８に入力可能な範囲内の電圧にＤＣ−ＤＣ変換して、電動工具本体８に出力する。電動工具本体８のインバータ８３は、変換回路３１から出力された直流電圧を交流電力に変換し、モータ８１へ出力する。
【００１９】
電池パック３は、出力制御部３２を有している。出力制御部３２は、例えば、プロセッサを有するマイクロコントローラにより構成されている。記憶部３６に記憶されたプログラムをプロセッサが実行することによって、本開示における出力制御部３２としての機能が実現される。変換回路３１は、出力制御部３２の制御に従って複数の電池３０の出力の大きさを変更する。出力制御部３２は、変換回路３１を制御することにより、条件に応じて電動工具本体８への複数の電池３０の出力（すなわち、変換回路３１での電圧変換を経ての出力）を制御する。上記条件は、電動工具本体８に関する情報に基づく条件を含む。出力制御部３２は、電動工具本体８に関する情報として、電動工具本体８に入力可能な電圧の範囲を記憶部３６から取得して、電圧をこの範囲内にするという条件を満たすように、複数の電池３０の出力を制御する。電動工具本体８に入力可能な電圧の範囲は、例えば、電動工具本体８に入力可能な電圧の上限値により規定される。つまり、出力制御部３２は、電動工具本体８に関する情報としての品番の情報に応じて、複数の電池３０の出力電圧の大きさの上限値を決定する。出力制御部３２は、変換回路３１に対するＰＷＭ（Pulse Width Modulation）制御により、複数の電池３０の出力電圧の大きさを上限値以下に制御する。例えば、変換回路３１はスイッチング素子とコンデンサとを有しており、出力制御部３２からのＰＷＭ信号に応じてスイッチング素子を開閉することにより、スイッチング素子の出力電圧のパルス幅を制御する。変換回路３１は、コンデンサにより、スイッチング素子の出力電圧を、パルス幅に応じた振幅を持つ電圧へと変換（平滑化）する。
【００２０】
また、出力制御部３２は、電動工具本体８に関する情報に応じて、複数の電池３０の出力（具体的には、出力電圧）の大きさの上限値と、複数の電池３０の出力（具体的には、出力電圧）の大きさが上限値を超えた場合に複数の電池３０の出力（具体的には、出力電圧）の大きさを低下させる制御を開始するタイミング（以下、開始タイミングと称す）とを決定する。出力制御部３２が複数の電池３０の出力（出力電圧）の大きさの上限値を決定することについては、上述の通りである。開始タイミングは、記憶部３６により品番と対応付けて記憶されている。言い換えると、記憶部３６は、各種の電動工具本体８の品番の情報と、その品番を有する電動工具本体８における開始タイミングとを、対応付けて記憶している。開始タイミングとしては、例えば、各種の電動工具本体８の耐電圧性能又は耐過電流性能等に応じて決められたタイミングが記憶部３６に記憶されている。耐過電流性能とは、例えば、モータ８１に流れる何Ａ（アンペア）以上の電流を何秒までに遮断する必要がある、という性能である。開始タイミングして、例えば、複数の電池３０の出力電圧の大きさが上限値を超えてから何秒後、という情報が、記憶部３６に記憶されている。出力制御部３２は、電池パック３が取り付けられた電動工具本体８の品番と対応する開始タイミングを、記憶部３６から取得することで、開始タイミングを決定する。
【００２１】
電池パック３は、情報取得部３３と、電流値取得部３４と、温度センサ３５と、を更に有している。
【００２２】
情報取得部３３は、電動工具本体８に関する情報を電動工具本体８から取得する。具体的には、情報取得部３３は、電池パック３が電動工具本体８に取り付けられているとき、電動工具本体８の品番の情報を電動工具本体８から取得する。
【００２３】
電動工具本体８において、検出部８４は、例えば、シャント抵抗器を含む。検出部８４は、モータ８１に流れる電流の大きさを検出する。電流値取得部３４は、検出部８４が検出した、モータ８１に流れる電流の大きさの検出値を、検出部８４から取得する。出力制御部３２は、電動工具本体８に関する情報に基づく条件に応じて電動工具本体８への複数の電池３０の出力を制御し、電動工具本体８に関する情報は、電流値取得部３４で取得された検出値を含む。
【００２４】
具体的には、出力制御部３２は、モータ８１に流れる電流の大きさの検出値が上限値を超えた場合、電動工具本体８への複数の電池３０の出力電流の大きさが上限値以下になるように、変換回路３１を制御する。出力制御部３２は、複数の電池３０の出力電圧を制御することで、複数の電池３０の出力電流をも制御している。モータ８１に流れる電流の大きさの上限値は、電動工具本体８に入力可能な電圧の上限値に基づいて出力制御部３２で決定される。
【００２５】
温度センサ３５は、例えば、サーミスタを含む。温度センサ３５は、複数の電池３０の温度を測定する。出力制御部３２は、温度センサ３５により測定された複数の電池３０の温度の測定値を取得する。出力制御部３２は、条件に応じて電動工具本体８への複数の電池３０の出力を制御し、上記条件は、複数の電池３０の温度に関する条件を含む。より詳細には、出力制御部３２は、複数の電池３０の温度の測定値に応じて電動工具本体８への複数の電池３０の出力を制御する。
【００２６】
具体的には、出力制御部３２は、複数の電池３０の温度の測定値が第１の温度閾値を超えた場合、電動工具本体８への複数の電池３０の出力電流の大きさを低下させるように、変換回路３１を制御する。また、出力制御部３２は、複数の電池３０の温度の測定値が第１の温度閾値よりも大きい第２の温度閾値を超えた場合、電動工具本体８への複数の電池３０の出力を停止させるように、変換回路３１を制御する。また、出力制御部３２は、複数の電池３０の温度の測定値が第１の温度閾値よりも小さい第３の温度閾値よりも小さい場合、電動工具本体８への複数の電池３０の出力電圧の大きさを上昇させるように、変換回路３１を制御する。
【００２７】
ここで、出力制御部３２は、複数の電池３０の温度の測定値が第３の温度閾値よりも小さい場合、電動工具本体８への複数の電池３０の出力電圧の大きさを低下させるように、変換回路３１を制御してもよい。
【００２８】
電動工具本体８は、定格入力電圧を複数の値の中から選択可能に構成されている。例えば、電動工具本体８は、定格入力電圧を１４．４Ｖと１８Ｖとから選択可能に構成されている。電動工具本体８は、例えば、電動工具本体８に備えられた釦に対する操作により、定格入力電圧を選択可能である。
【００２９】
本実施形態の電池ユニット２によれば、電池パック３の出力制御部３２は、条件に応じて電動工具本体８への複数の電池３０の出力を制御する。これにより、電動工具本体８における不具合の発生可能性を低減させることができる。
【００３０】
出力制御部３２は、具体的には、電動工具本体８への複数の電池３０の出力が、電動工具本体８に入力可能な電圧の上限値以下になるように、複数の電池３０の出力を制御する。出力制御部３２は、複数の電池３０の出力電圧を制御することで、複数の電池３０の出力電流をも制御している。したがって、電池パック３を別の品番であって出力電圧及び出力電流が異なる電池パックへと交換した場合に、電動工具本体８を別の品番の電動工具本体へと交換しなくてもよく、引き続き同じ電動工具本体８を使用することができる。例えば、セル電圧が同じであっても内部抵抗の大きさが互いに異なる複数の電池間では、出力電圧及び出力電流が互いに異なるが、電池ユニット２では、これらの複数の電池のいずれを有している電池パックも使用できる。
【００３１】
（実施形態１の変形例）
以下、実施形態１の変形例を列挙する。以下の変形例は、適宜組み合わせて実現されてもよい。
【００３２】
実施形態１では、電動工具本体８において、モータ８１は、ブラシレスモータであるとして説明したが、モータ８１はブラシモータでもよい。
【００３３】
情報取得部３３は、電動工具本体８のモータ８１の種類の情報及びモータ８１の制御方式の情報を取得してもよい。モータ８１の種類の情報とは、例えば、モータ８１がブラシモータであるか、ブラシレスモータであるかの情報を含む。モータ８１の制御方式とは、例えば、モータ８１のロータの位置の検出結果を用いているか否か、インバータ８３の制御を行っているか否か、モータ８１のトルクの大きさを制御しているか否か等である。出力制御部３２は、情報取得部３３で取得されたこれらの情報に基づく条件に応じて、電動工具本体８への複数の電池３０の出力を制御してもよい。
【００３４】
また、出力制御部３２は、情報取得部３３で取得された情報を条件式に当てはめる等により、電動工具本体８に入力可能な電圧の範囲を算出してもよい。上記のように、情報取得部３３が電動工具本体８のモータ８１の種類の情報及びモータ８１の制御方式の情報等を取得すれば、出力制御部３２は、電動工具本体８に入力可能な電圧の範囲を算出可能となる。
【００３５】
情報取得部３３が取得する、電動工具本体８に関する情報は、電池ユニット２に備えられた入力装置に対するユーザの手入力により入力されてもよい。具体的には、電動工具本体８の品番の情報等が、入力装置に手入力により入力されてもよい。
【００３６】
また、情報取得部３３は、本体情報を充電器５から取得してもよい。具体的には、充電器５に備えられた記憶装置には、電動工具本体８の品番と電動工具本体８に入力可能な電圧の範囲との対応表が記録されていて、情報取得部３３はこの対応表を記憶装置から取得してもよい。
【００３７】
また、出力制御部３２は、複数の電池３０の出力電圧が低下した場合に、変換回路３１からの出力電圧を低下させてもよい。これにより、複数の電池３０の出力電圧が低下した場合に、電動工具本体８のモータ８１のトルクは低下するものの、電動工具本体８をより長時間使える。また、電動工具本体８に代えて携帯型の照明器具が電池パック３に取り付けられる場合は、出力制御部３２は、複数の電池３０の出力電圧が低下した場合に、携帯型の照明器具へ供給する電力を低下させてもよい。
【００３８】
記憶部３６は、電動工具本体８に入力可能な電圧の範囲に代えて、変換回路３１の制御内容を記憶していてもよい。例えば、記憶部３６は、出力制御部３２が変換回路３１の出力電圧をＰＷＭ制御する際に出力制御部３２から変換回路３１へ出力されるＰＷＭ信号のデューティ比を、変換回路３１の制御内容として記憶していてもよい。
【００３９】
実施形態１の出力制御部３２は、複数の電池３０の出力電圧を制御する。これに限定されず、出力制御部３２は、複数の電池３０の出力電流又は出力電力を制御してもよい。
【００４０】
実施形態１の出力制御部３２は、電動工具本体８に関する情報に応じて、複数の電池３０の出力電圧の大きさの上限値と、複数の電池３０の出力電圧の大きさが上限値を超えた場合に複数の電池３０の出力電圧の大きさを低下させる制御を開始するタイミングとを決定する。このように、実施形態１の出力制御部３２は、複数の電池３０の出力電圧に応じて、複数の電池３０の出力電圧を制御する。これに限定されず、出力制御部３２は、複数の電池３０の出力電流に応じて、複数の電池３０の出力電流を制御してもよい。あるいは、出力制御部３２は、複数の電池３０の出力電力に応じて、複数の電池３０の出力電力を制御してもよい。
【００４１】
複数の電池３０は、電池パック３の構成に含まれていなくてもよい。
【００４２】
複数の電池３０は、直列に接続されることに限定されず、並列又は直並列に接続されてもよい。また、複数の電池３０は、一次電池であってもよい。
【００４３】
（実施形態１及び実施形態１の変形例のまとめ）
以上説明した実施形態１及び実施形態１の変形例から、以下の態様が開示されている。
【００４４】
電池ユニット２は、電池パック３を備える。電池パック３は、電池３０を収容する。電池パック３は、電動工具本体８に取り付けられる。電池パック３は、出力制御部３２を有する。出力制御部３２は、条件に応じて電動工具本体８への電池３０の出力を制御する。
【００４５】
上記の構成によれば、出力制御部３２が条件に応じて電動工具本体８への電池３０の出力を制御することで、電動工具本体８における不具合の発生可能性を低減させることができる。
【００４６】
また、電池ユニット２では、条件は、電動工具本体８に関する情報に基づく条件を含む。
【００４７】
上記の構成によれば、出力制御部３２は、電動工具本体８に関する情報に応じて、電動工具本体８への電池３０の出力を制御することができる。
【００４８】
また、電池ユニット２では、電池パック３は、情報取得部３３を更に有する。情報取得部３３は、電動工具本体８に関する情報を電動工具本体８から取得する。
【００４９】
上記の構成によれば、情報取得部３３は、電動工具本体８に関する情報を電動工具本体８から取得するので、電動工具本体８に関する情報を情報取得部３３に提供するための構成を別途設けなくてよい。
【００５０】
また、電池ユニット２では、出力制御部３２は、電動工具本体８に関する情報に応じて、電池３０の出力の大きさの上限値と、電池３０の出力の大きさが上限値を超えた場合に電池３０の出力の大きさを低下させる制御を開始するタイミングと、の少なくとも一方を決定する。
【００５１】
上記の構成によれば、電池３０から電動工具本体８へ過大な出力がなされることを抑制できる。
【００５２】
また、電池ユニット２では、出力制御部３２は、電動工具本体８に関する情報に応じて、電池３０の出力としての出力電圧の大きさの上限値を決定する。
【００５３】
上記の構成によれば、電池３０から電動工具本体８へ過大な電圧が印加されることを抑制できる。
【００５４】
また、電池ユニット２では、出力制御部３２は、ＰＷＭ制御により、電池３０の出力電圧の大きさを上限値以下に制御する。
【００５５】
上記の構成によれば、出力制御部３２は、電池３０の出力電圧の大きさを連続的に変更できる。
【００５６】
また、電池ユニット２では、電池パック３は、電流値取得部３４を更に有する。電流値取得部３４は、電動工具本体８が備えるモータ８１に流れる電流の検出値を取得する。電動工具本体８に関する情報は、モータ８１に流れる電流の検出値を含む。
【００５７】
上記の構成によれば、出力制御部３２は、モータ８１に流れる電流値に応じて、電動工具本体８への電池３０の出力を制御できる。
【００５８】
また、電池ユニット２では、条件は、電池３０の温度に関する条件を含む。
【００５９】
上記の構成によれば、電池３０の温度に応じて、電動工具本体８への電池３０の出力を制御できる。
【００６０】
また、電池ユニット２は、充電器５を更に備える。充電器５には、電池パック３が接続される。充電器５は、電池３０としての二次電池を充電する。
【００６１】
上記の構成によれば、電池３０を充電して繰り返し使用できる。
【００６２】
また、電動工具システム１は、電池ユニット２と、電動工具本体８と、を備える。
【００６３】
上記の構成によれば、出力制御部３２が条件に応じて電動工具本体８への電池３０の出力を制御することで、電動工具本体８における不具合の発生可能性を低減させることができる。
【００６４】
（実施形態２）
以下、実施形態２に係る電池ユニット２Ａ及び電動工具システム１Ａについて、図３、４を用いて説明する。実施形態１と同様の構成については、同一の符号を付して説明を省略する。
【００６５】
電池ユニット２Ａは、アダプタ４を更に備えている。変換回路３１は、電池パック３Ａではなく、アダプタ４が有している。アダプタ４は、電池パック３Ａから分離可能である。そのため、変換回路３１は、電池パック３Ａから分離可能である。
【００６６】
アダプタ４は、電動工具本体８と電池パック３Ａとに接続可能である。アダプタ４は、複数の電池３０の出力電圧が電動工具本体８に入力可能な範囲外の電圧である場合に用いられる。
【００６７】
電池パック３Ａは、複数の電池３０からの出力電圧としての直流電圧をアダプタ４に出力する。アダプタ４の変換回路３１は、この直流電圧を、電動工具本体８に入力可能な範囲内の電圧にＤＣ−ＤＣ変換して、電動工具本体８に出力する。
【００６８】
（実施形態２のまとめ）
以上説明した実施形態２から、以下の態様が開示されている。
【００６９】
本実施形態に係る電池ユニット２Ａは、変換回路３１を備える。変換回路３１は、出力制御部３２の制御に従って電池３０の出力の大きさを変更する。変換回路３１は、電池パック３から分離可能である。
【００７０】
上記の構成によれば、変換回路３１を電池パック３と併用することも、変換回路３１を使用せずに電池パック３を使用することもできる。
【００７１】
上述した各実施形態は、変形例も含めて、適宜組み合わせて実現されてもよい。
【符号の説明】
【００７２】
１、１Ａ  電動工具システム
２、２Ａ  電池ユニット
３、３Ａ  電池パック
３０  電池
３２  出力制御部
３３  情報取得部
３４  電流値取得部
５  充電器
８  電動工具本体
８１  モータ
【図１】
2020089110.tif 000003
【図２】
2020089110.tif 000004
【図３】
2020089110.tif 000005
【図４】
2020089110.tif 000006